(57)【要約】      （修正有）【課題】袋入り食品に入っている保形用のトレーや食品用容器等、開封後や使用後は、捨てるものに有用物取り出し用の切れ目を入れて、有用物を取り出して有効活用するという薄く成形されたプラスチック成形物及びこれから得られたつまみ具や字消し板を提供することである。【解決手段】１生活に役立つ有用物を切り離すための切れ目２０を設けた・真空成形若しくは圧空成形又は射出成形により成形された薄いプラスチック成型物。２前記の薄いプラスチック成形物より得られた有用物の内・二つ折りして、平面上に置いたとき、取手部２２の折れ曲り部２３から遠い方の接点を通る垂線までの重さの方が該垂線から挟み部２１の先端までの重さよりも重いつまみ具。３消したい部分の形状・大きさに適合した、字消し用孔２７を設けた、真空成型若しくは圧空成形又は射出成形により薄く成形された、透明なプラスチック成形物より得られた字消し板。【選択図】図１
2014198569.tif 000002
【特許請求の範囲】
【請求項１】
生活に役立つ有用物を切り離すための切れ目（２０）を設けた、
真空成型若しくは圧空成形又は射出成形により薄く成形された、プラスチック成形物。
【請求項２】
生活に役立つ有用物を切り離すための切れ目（２０)を設けた、
真空成型若しくは圧空成形又は射出成形により薄く成形された、プラスチック成形物より得られた有用物の内、
二つ折りして、平面上に置いたとき、取手部（２２）の折れ曲り部（２３）から遠い方の接点を通る垂線までの重さの方が該垂線から挟み部（２１）の先端までの重さよりも重いつまみ具。
【請求項３】
生活に役立つ有用物を切り離すための切れ目（２０)を設けた、
真空成型若しくは圧空成形又は射出成形により薄く成形された、透明なプラスチック成形物より得られた有用物の内、
消したい部分の形状や大きさに適合すると予測した字消し用孔（２７）を設けた、薄い平板状の字消し板。
【発明の詳細な説明】
【技術分野】
【０００１】
本発明は、有用物用の切れ目を設けたプラスチック成形物に関する。詳しくは、生活に役に立つ有用物を切り離すための切れ目を設けた、真空成形若しくは圧空成形又は射出成形により成形された薄いプラスチック成形物に関する。
【背景技術】
【０００２】
従来、薄く成形されたプラスチック成形物に、有用物を切り離すための切れ目を設けたものはなかった。切れ目を設けたものでは、複数個ある容器用窪みを切り離し易くするための切り取り線位しかなかった。
【０００３】
[特許文献１]特開平１０‐２７３１２５号「食品容器」公報には、複数個の食品容器用の窪みの間に切れ目を設けたものが提案されている。
[特許文献２]特開２００８‐５６３３１号「ライン状の切れ目が設けられてなるプラスチック製品」公報には、切れ目を設けても、強度低下を防止するものが提案されている。その他、類似のものは提案されている。
【０００４】
薄く成形されたプラスチック成形物としては、真空成形又は圧空成形によるものが主である。消費者の身近なものでは、袋入り食品の保形材として使用されているトレーやスーパー等で食品を入れて販売している、食品用の容器がある。食品用の容器には
、蓋付きや蓋無しのもの、浅いものや深いもの、仕切のあるものやないものがある。袋入り食品のトレーの開封後及び食品容器の使用後は、不要となり捨てるだけであるが、これらのトレーや食品の容器に有用物切取り用の切れ目を設けて、不要となったものから、必要に応じて、有用物を切り離して使用することは、資源の有効利用にもなり、有意義なことである。
【先行技術文献】
【特許文献】
【０００５】
【特許文献１】特開平１０-２７３１２５号「食品容器」公報
【特許文献２】特開２００８‐５６３３１号「ライン状の切れ目が設けられてなるプラスチック製品」公報
【発明の概要】
【発明が解決しようとする課題】
【０００６】
袋入り食品の中には、スルメ、さつまいも等のてんぷら等の揚げ物、ドーナツの様に油と砂糖が付いたもの、タレ付きの焼いたイカのように表面にタレ（味付けのため、どろっとした粘り気のある調味用の汁）が付いているもの等がある。これらを手でつまんで食べた後、手に付着した油等を除くため、ティッシュペーパー、御手拭き、御絞り、タオル等で拭いたり、石けんで手を洗ったりしなければならない。手に油等が付くのが嫌な場合は、箸、トング等を用意しなければならない。又、箸等は、使用後は洗わなければならない。
【０００７】
ところが、袋入り食品を食べるときに、いつも箸やトング類が手近にあるとは限らない。袋入り食品の中に入っている保形材のトレーに、切れ目を設けておき、取出してトング類似物のような挟み具が簡単にできれば、便利である。
【０００８】
切れ目を設けるプラスチック成形物は、付属している商品と無関係のものでもよい。例えば、小・中学生が利用する商品に付いている保形材等のプラスチック成形物又は、家庭で使う食品用容器の底面や蓋に、「字消し板」用の切れ目を設けてもよい。「字消し板」は、以前ＣＡＤが普及する前、製図の際に使われていたもので、薄いステンレス板に、消したい線の形状・大きさに合わせた、いろいろな形状の孔が開けてあり、消したい箇所にこの孔を当て、消しゴムで消すと、孔以外のところは、消えずに残るという便利なものである。ステンレス板は、不透明で下が見えず、消したいところを探すのに手間取っていたものである。下が透けて見えるように、ステンレス板に無数の小孔を開けたものもあったが、高価であった。トレーや食品容器等は、無色透明で、薄いものが多いので、字消し板に向いている。その他、後記実施例で示すが、有用物は、数多くある。
【０００９】
現在、袋入り商品に使用されている保形材等のプラスチック成形物は、真空成形又は圧空成形により成形された薄いプラスチック成形物に裁断等の加工をしているものが多い。この裁断加工の際に、序に有用物切取り用の切れ目用の裁断刃取付を行えばよいので、コストアップの額は僅かである。
【００１０】
本発明が解決しようとする課題は、袋入り食品に入っている保形用のトレー等や食品用の容器等、開封後や使用後は捨てるものに有用物取り出し用の切れ目を入れ、有用物を取り出して有効活用する、薄いプラスチック成形物、この薄いプラスチックから得られたつまみ具及び字消し板を提供することである。
【課題を解決するための手段】
【００１１】
本発明は、開封後や使用後は、捨てる薄いプラスチック成形物に、有用物取り出し用の切れ目を設けたことを特徴とする。
【００１２】
請求項１に係るプラスチック成形物は、生活に役立つ有用物を切り離すための切れ目２０を設けた・真空成型若しくは圧空成形又は射出成形により薄く成形されたものである。
【００１３】
プラスチック成形物は、消費者が開封するまで使用し、使用後廃棄するものであれば、何でもよい。切れ目を設ける関係上薄いものである。一般的には、トレーや容器である。
【００１４】
生活に役立つ有用物は、文字通り役に立つものであれば、何でもよいが、プラスチック成形物が使われている商品と関係のあるものでも、ないものでもよい。関係のあるものでは、袋入り食品に入っている保形材に、トング類のような挟み具を取り出す切れ目を設けておき、切り離した挟み具で、入っている揚げ物、タレの付いたイカ等を挟むと、手を汚さずに済み、便利である。関係のないものでは、「課題」で挙げた「字消し板」等がある。
【００１５】
切れ目は、ミシン目が先ず考えられるが、薄いプラスチックシートでは、脱線の恐れがあるので使用しにくい。脱線防止一方通行切れ目や脱線防止双方向切れ目を使用するのがよい。脱線防止一方通行切れ目は、後記実施例で詳しく説明するが、Ｙの字形やＴの字形等の切れ目を組合せたものである。脱線防止双方向切れ目も、後記実施例で詳しく説明するが、線形の両端にＶの字形又はＵの字形を付けたもの等を組合せたものである。
【００１６】
請求項２に係るつまみ具は、生活に役立つ有用物を切り離すための切れ目２０を設けた・真空成型若しくは圧空成形又は射出成形により薄く成形された、プラスチック成形物より得られた有用物の内・二つ折りして、平面上に置いたとき、取手部２２の折れ曲り部２３から遠い方の接点を通る垂線までの重さの方が該垂線から挟み部２１の先端までの重さよりも重いものである。
【００１７】
請求項２に係るつまみ具は、有用物として得られたものの内、仮にテーブル面が汚れていても、その汚れが挟み部に付かないものである。取手部２２のテーブル面に接する部分は、直線状に限らず、上に凸状の曲線でも、折れ曲った直線でもよい。取手部２２の折れ曲り部２３と支点２２１とがテーブル面に接しておればよい。
【００１８】
取手部２２の折れ曲り部２３から遠い方の接点は、実施例1の[００３１]の（Ｅ）で説明した支点に相当するものである。
【００１９】
請求項３に係る字消し板は、生活に役立つ有用物を切り離すための切れ目２０を設け・
真空成型若しくは圧空成形又は射出成形により薄く成形された、透明なプラスチック成形物より得られた有用物の内・消したい部分の形状や大きさに適合すると予測した字消し用孔２７を設けた薄い平板状のものである。
【００２０】
字消し用孔２７の「消したい部分の形状や大きさに適合すると予測した」というのは、字消し板の用途・目的により、自由に変えてよい、ということである。製図用かノート用かによっても大きく変わるし、ノートも学科や学年によっても変わる。用途をいろいろ予測して、適当と判断したものにすればよい。字消し用孔２７の数や配列も自由に変えてよい。薄くて透明なシートは、字消し板に最適である。使用しているうちに、消しゴムでこすれて曇ってくれば、次の字消し板を切り取ればよい。なお、後記実施例６の［００５７]で説明するが、発泡スチロールのトレーも切れ目を入れておくと、家庭菜園の野菜や花の名札に利用できる。発泡スチロールのトレーは厚みはあるが、もろいので切れ目を入れておけば簡単に外れる。本明細書では、切れ目を切れ易くするため、薄いプラスチック成形物と厚さを限定しているが、本来の目的は厚さよりも切れ目の切れ易さである。従って、発泡スチロールのトレーは厚いが、前記のようにもろくて切れ目から外れ易いので、本明細書では、発泡スチロールのトレーも薄いプラスチック成形物として扱う。
【発明の効果】
【００２１】
請求項１の発明は、食品を入れた袋の開封後や容器の使用後、不要になったプラスチック成形物から切れ目に依って切り離すことにより、有用物を得るという効果がある。
【００２２】
請求項2の発明は、食品に触れる挟み部２１がテーブルに触れることなく、挟み部２１にテーブルの汚れが付着しないつまみ具が、開封後や使用後は廃棄する薄いプラスチック成形物から容易に得られるという効果がある。
【００２３】
請求項3の発明は、鉛筆で書いた図面やノートの消したい部分だけを消すことができ、他の部分は消えずに残るという字消し板を開封後や使用後は廃棄する、薄い透明なプラスチック成形物から容易に得られるという効果がある。
【図面の簡単な説明】
【００２４】
【図１】実施例１の切れ目を設けたトレー、つまみ具及び切れ目を示す平面図及び斜視図である。
【図２】実施例２の切れ目を設けたプラスチック成形物及びこれから得られたつまみ具を示す平面図、斜視図及び側面図である。
【図３】実施３の切れ目を設けた容器、トレー及びコースターを示す斜視図及び平面図である。
【図４】実施例４の切れ目を設けたプラスチック成形物から得られた風車及び笹舟を示す平面図である。
【図５】実施例５の容器及び切れ目を設けたプラスチック成形物から得られた字消し板及び栞を示す平面図である。
【図６】実施例６のトレー、容器、結束具、つかみ具及び名札を示す平面図及び斜視図である。
【発明を実施するための形態】
【００２５】
商品使用後は、捨てるプラスチック成形物から有用物を取り出し、有効活用するという目的を有用物取り出し用の切れ目を設けることで実現した。
【実施例１】
【００２６】
実施例１の有用物用の切れ目を設けたプラスチック成形物を図1に基づいて説明する。図1の（Ａ）は、トング等のつまみ具２Ａを得るための切れ目２０を設けたトレー1Ａを示す平面図である。トレー１Ａの長さを省略している。２１は挟み部、２２は取手部、２３は折り曲げ部、２４は矢印(浮出し状)を示す。
【００２７】
切れ目２０により囲まれたつまみ具２Ａは、矢印２４の付いた挟み部２１を矢印の示す通り右へ引くと、脱線防止一方通行切れ目である切れ目２０により、つまみ具２Ａがトレー１Ａから切り離される。中央の折れ曲がり部２３(点線で示す)で二つ折りすると、トング状のつまみ具２Ａが得られる。脱線防止一方通行切れ目は、細長いＴの字形の切れ目を並べたものである。矢印の通り右方向に引くと、脱線することなく切れる。折れ曲がり部２３は、図面では点線があるが、何も付けなくてもよい。予め折り癖等は付けてなくても即ち何もしてなくても、折り曲げれば、折れ曲った状態を保つ。
【００２８】
（Ｂ）は、トレー１Ａに設けた別のつまみ具２Ａを示す平面図である。トレー１Ａを示す枠は、省略している。（Ａ）に示すものと異なるのは、中央の折れ曲り部２３が拡大円内の断面図に示すように、断面が小さな半円状になっていることである。このため、折れ曲がり部２３で折れ曲がり易い。脱線防止一方通行切れ目２０が（Ａ）のものと異なり、細長いＴの字形から細長いＹの字形に変わっている。その他は、（Ａ）のものと同じである。
【００２９】
（Ｃ）は、トレー１Ａから切り離されたつまみ具２Ａを折れ曲り部２３で折り曲げ、トング状のつまみ具２にしたところを示す斜視図である。挟み部２１と取手部２２との境界はハッキリしないが、先端に近い部分が挟み部２１で、折れ曲り部２３に近い部分が取手部２２である。折れ曲り部２３は、（Ａ）のように何もしてなくても、折り曲げると簡単に折れ曲り、その状態を保持する。
【００３０】
（Ｄ）は、トレー１Ａに設けた他のつまみ具２Ａを示す平面図である。６角形を２つ並べた形をしており、中央の点線部が折れ曲り部２３である。図面では、点線を画いているが、実際は何もしなくてよい。脱線防止一方通行切れ目２０は、細長いＹの字形の切れ目のＶの字形の部分をＵの字形に変えたものを並べたものである。折れ曲り部２３を折り曲げてつまみ具２Ａを作る。
【００３１】
（Ｅ）は、（Ｄ）のトレー１Ａから切り離されたつまみ具２Ａを折れ曲り部２３で折り曲げ、側面形状が６角形のつまみ具２にして、テーブルのような平面上に置いたところを示す斜視図である。側面形状６角形を二分する点線より折れ曲り部２３に近い方を取手部２２とし、折れ曲り部２３から遠い方を挟み部２１とする。取手部２２のテーブル上に接した下部の折れ曲り部２３から遠い方の先端を支点２２１とする。支点２２１を中心にして、挟み部２１と取手部２２との重さにより左右に回転することになる。図のように、取手部２２がテーブル上に接するためには、取手部２２の方が重くなるように、取手部２２の大きさを決めねばならない。このように、取手部２２がテーブル上に接した状態であれば、挟み部２１はテーブルに触れず、仮にテーブル面が汚れていても、食品に触れる挟み部２１は、汚れの付着を防止できる。なお、厳密には、挟み部２１と取手部２２との重さの差ではなく、支点２２１を通る垂線よりも取手部２３側が重いと、（Ｅ）図のように取手部２３がテーブルに接した状態になる。
【００３２】
（Ｆ）は、脱線防止一方通行切れ目２０を示す平面図である。いずれも矢印の方向に引くと、脱線せずに切れる。図1の（Ａ）、（Ｂ）、（Ｄ）に示したものである。
【００３３】
（Ｇ）は、脱線防止双方向切れ目２０を示す平面図である。これらは、左右どちらから引いても、脱線することなく切り離せる切れ目である。使用例は、実施例２以下で説明する。
【００３４】
実施例１に示したものは、トレー１Ａからつまみ具２Ａが容易に外され、折れ曲り部２３で折り曲げることで、容易にトング状のつまみ具２Ａが作られ、袋内の食品をつまめるという効果がある。
【実施例２】
【００３５】
実施例２の有用物用の切れ目を設けたプラスチック成形物を図２に基づいて説明する。実施例２のつまみ具２Ａは、補強リブ２５付きのものである。補強リブは、薄いプラスチックシートを補強するために設ける、断面形状が半円形又はＵの字形の溝である。
【００３６】
図２の（Ａ）は、補強リブ２５付きのつまみ具２Ａを、脱線防止双方向切れ目２０で囲んだ容器１Ｂを示す平面図である。補強リブ２５は、円内拡大図に示すように、断面形状がＵの字形の溝である。補強リブ２５は、切れ目２０の外側即ち、容器１Ｂの残る部分に設けてもよい。中央部の点線で示すのは、折れ曲り部２３である。
【００３７】
（Ｂ）は、（Ａ）に示したつまみ具２Ａを切れ目２０により切り離したものを折れ曲り部２３で折り曲げたものを示す斜視図である。使い方は、食品等を挟み部２１で挟み、必要なところへ運ぶ。取手部２２を外側から指で挟んでもよいし、挟み部２１を直接指で挟んでもよい。補強リブ２５が付いているので、取手部２２や挟み部２１は折れ曲がりにくくなっている。
【００３８】
（Ｃ）は、トレーから切り離したつまみ具２Ａを折れ曲り部２３で折り曲げたものをテーブル上に置いたところを示す斜視図である。実施例１の（Ｅ）に補強リブ２５を加えたものと同じである。挟み部２１よりも取手部２２の方が重く、挟み部２１が仮にテーブルが汚れていても汚れないのは、実施例１と同様である。使い方は、（Ｂ）のものと同様である。
【００３９】
（Ｄ）は、（Ｃ）のつまみ具２の挟み部２１を変形したもので、四角形から円に近い形に変えたものをテーブル上に置いたところを示す側面図である。その他は、（Ｃ）のものと同様である。
【００４０】
（Ｅ）は、（Ｄ）を変形したもので、挟み部２１の方が取手部２２よりも大きいつまみ具２Ａをテーブル上に置いたところを示す側面図である。支点２２１を通る垂線よりも取手２２側が挟み部２１の一部も含めて重いことが必要である。その他は、（Ｄ）のものと同様である。支点２２１は、挟み部２１の取手部２２寄りの端になるが、挟み部２１ではあっても、取手部２２寄りの端であるので、仮に汚れたテーブルに接しても、挟み部２１の食品を挟む部分には、汚れは付かない。
【実施例３】
【００４１】
実施例３の切れ目を設けた、薄く成形されたプラスチック成形物を図3に基づいて説明する。図3の（Ａ）は、食品用の容器１Ｂの底面に、コップの下に敷くコースター２Ｂ用の切れ目２０を設けたものの斜視図である。コースター２Ｂには、同心円状の凹凸がある。切れ目２０は、脱線防止一方通行切れ目を採用している。同心円状の凹凸は、図面では省略している。
【００４２】
（Ｂ）は、（Ａ）に示したコースター２Ｂを切り離したものの平面図である。拡大円内に断面図を示すように、断面が波型の凹凸になっている。食品用とは限らないが、薄いプラスチックで成形された容器の底面や蓋に、余分なスペースがあれば、コースターは面積も余り取らないし、厚みも薄いので、適している。なお、コースター２Ｂは、円形の外、正方形のものでもよい。
【００４３】
（Ｃ）は、箱用２Ｃの切れ目２０を設けたトレー１Ａを示す斜視図である。菓子等の入ったトレーには、小分けのため小さな箱状の凹部を設けたものがある。この凹部を箱２Ｃとして利用するため、境界部に切れ目２０を設ける。必要に応じて、連続した箱２Ｃとして切り離して利用してもよい。切れ目２０は、脱線防止のものを設けた方がよいが、境界部は、断面がコの字形になっているので、玉子(鶏卵)のケースの折れ曲り部のように、２本の平行した点線でもよい。
【実施例４】
【００４４】
実施例４の切れ目を設けた、薄く成形されたプラスチック成形物を図4に基づいて説明する。実施例４は、おもちゃ用の切れ目を設けたものである。図4の（Ａ）は、風車２Ｄ用の切れ目を設けたものの平面図である。具体的な切れ目の状況は、省略している。適用するものは、トレーでも容器でも薄いプラスチックの成形物であればよい。切れ目に沿って切り離した状態を示している。風車２Ｄの材料を示す。正方形の中心に孔２７を開ける。正方形の各頂点から中心に向かって、切込２６を入れる。各頂点の切込２６を入れた部分に孔２７を開ける。
【００４５】
（Ｂ）は、（Ａ）に示した風車２Ｄの材料の頂点部分(角)に開けた孔27を順番に重ねて、ピンを通して、風車２Ｄにしたところを示す平面図である。トレーでも容器でも、底面や蓋で面積の広い部分があれば、適用できる。
【００４６】
（Ｃ）は、笹舟２Ｅ用の切れ目を設けものの平面図である。（Ａ）と同様、具体的な切れ目の状況は、省略している。適用するものは、トレーでも容器でも薄いプラスチックの成形物であればよい。切れ目に沿って切り離した状態を示している。長方形の笹舟２の両短辺から２本の平行した切込２６を入れる。切込２６の１本と長方形の長辺とに、はめ込み２６Ａを設ける。
【００４７】
（Ｄ）は、（Ｃ）の笹舟２Ｅの材料を笹舟２Ｅに組み立てたものを示す平面図である。各短辺近くのはめ込み２６Ａを互いにはめ込んで組み合わせると、笹舟２Ｅになる。都会の子供は、通常笹の葉などは、目にすることはないので、大人が昔はこうして遊んだものだと教える材料にしてもよい。
【実施例５】
【００４８】
実施例５の切れ目を設けた、薄く成形されたプラスチック成形物を図５に基づいて説明する。実施例５は、学習用具用の切れ目を設けたものである。図５の（Ａ）は、字消し板２Ｆ用の切れ目を設けた容器１Ｂの底面又は蓋の平面図である。適用するものは、薄いプラスチックの成形物であればよい。切れ目２０は、ミシン目(点線)状である。各コーナー部は、丸みを付けている。字消し板の性格上、各辺は、スムーズな方がよいので、切れ目２０に沿って、ナイフか鋏で切り離す。容器１Ｂは、無色透明の必要はなく、透明であれば、有色でもよい。
【００４９】
使い方は、切れ目２０に沿って、ナイフか鋏で切り離した後、鉛筆で書いた消したい部分に、その消したい部分の形状・大きさに合った、字消し用孔２７Ａを合わせ、消しゴムで消す。余分なところが消えずに済むという効果がある。素材が透明(通常無色透明)なので、消したい部分を探し易い。しかも薄いので、消しゴムがよく当たる効果がある。無色透明の必要はなく、有色でも透明であればよい。
【００５０】
（Ｂ）は、（Ａ）の字消し板２Ｆを少し変えたものである。切れ目２０は、丸みを帯びたものを四隅に置いただけで、各切れ目２０の間をナイフか鋏で切り離す。この字消し板２Ｆは、ノートの１行分とか、あるまとまった部分を消すためのものである。通常、大学ノートの罫には、７ミリ幅のAタイプと６ミリ幅のBタイプとがあるが、罫の幅に合わせて字消し用孔２７Ａを選び、まとまった長さの行を消す。罫の外は消えない効果がある。他に学童用のノートの罫や枠に合わせた字消し用孔２７Ａを選ぶ。（Ａ）タイプと（Ｂ）タイプとの罫の両方を備えておいてもよい。
【００５１】
（Ｃ）は、栞２Ｇ用の切れ目２０を設けたものの平面図である。（Ａ）と同様、切れ目２０の間をナイフか鋏で切り離す。押え片２８の端にある小孔は、裂け防止である。押え片２８と本体との間にページを挟んで、栞とする。ページの上に出る部分に、油性ペンで着色して、区別用にしてもよい。
【００５２】
（Ｄ）は、（Ｃ）の栞２Ｇの一部を変えたものである。押え片２８の裁断部分の両側面をギザギザにしたものである。ギザギザにして、栞２Ｇがページから抜け難くしたものである。
【実施例６】
【００５３】
実施例６の切れ目を設けた、薄く成形されたプラスチック成形物を図６に基づいて説明する。実施例６は、その他のもの用の切れ目を設けたものである。図６の（Ａ）は、結束具２Ｈ用の切れ目２０を設けた容器１Ｂの蓋を示す平面図である。適用するものは、薄いプラスチックの成形物であれば、何でもよい。切れ目２０は、ミシン目状である。結束具２Ｈは、手で扱うため、スムーズな方がよいので、切れ目２０に沿って、ナイフか鋏で切り離す。長い長方形状の結束具２Ｈの向き合った長辺の遠い方の端に、数個のはめ込み２６Ａを設ける。使い方は、結束するものを束ねて、結束具２Ｈを回して、両端のはめ込み２６Ａを互いにはめて結合する。
【００５４】
（Ｂ）は、（Ａ）の結束具２Ｈの、はめ込み２６Ａを互いにはめ込んだ状態を示す斜視図である。この輪の中に結束したいものを通す。実際は、結束したいものを束ねて、その周りに結束具２Ｈを回して、はめ込み２６Ａを互いにはめる。
【００５５】
（Ｃ）は、物に巻き付けてつかむためのつかみ具２Ｉ用の切れ目２０を設けたトレー１Ａを示す平面図である。切れ目２０は、脱線防止一方通行切れ目を設けている。つかみ具２Ｉには、細かい波状の折目２９が入っている。従って、曲がり易く、物に巻き付け易い。
【００５６】
（Ｄ）は、（Ｃ）のつかみ具２Ｉをトレー１Ａから切り離したものを鶏もも(腿)３に巻き付けたところを示す斜視図である。鶏もも３に巻き付けたつかみ具２の上からつかむ。
【００５７】
（Ｅ）は、発泡スチロール製のトレー１Ａに名札２Ｊ用の切れ目２０を設けたものの平面図である。発泡スチロールなので、切れ目２０は図に示すように、ミシン目を長くしたようなものであるが、名札２Ｊの一部を指先で押し込むだけで、名札２Ｊは簡単に外れる。なお、切れ目２０が細い場合は、トレー１Ａに水を入れても、表面張力のため、水は漏れない。外した名札２Ｊは、発泡スチロールが通常白色なので、油性ペンなどで記入して、家庭菜園の野菜や草花の名札に使用できるという効果がある。なお、発泡スチロールは厚いが、もろいので切れ目を押さえると、容易に外れる。本明細書では、切れ目を切れ易くするため、薄いプラスチック成形物と厚さを限定しているが、本来の目的は厚さよりも切れ目の切れ易さである。従って、発泡スチロールのトレーは厚いが、前記のようにもろくて切れ目からはずれ易いので、本明細書では、発泡スチロールのトレーも薄いプラスチック成形物として扱う。
【産業上の利用可能性】
【００５８】
本発明の有用物を切り離すための切れ目を設けた薄いプラスチック成形物は、袋入り食品の保形材として使用されているトレーや食品の容器等のプラスチック成形物に適用できる。
【符号の説明】
【００５９】
１Ａ……トレー
１Ｂ……容器
２Ａ……つまみ具
２Ｂ……コースター
２Ｃ……箱
２Ｄ……風車
２Ｅ……笹舟
２Ｆ……字消し板
２Ｇ……栞
２Ｈ……結束具
２Ｉ……つかみ具
２Ｊ……名札
２０……切れ目
２１……挟み部
２２……取手部
２３……折れ曲り部
２４……矢印
２５……補強リブ
２５Ａ…同心円状凹凸
２６……切込
２６Ａ…はめ込み
２７……孔
２７Ａ…字消用孔
２８……押え片
２９……折目
３………鶏もも
【図１】
2014198569.tif 000003
【図２】
2014198569.tif 000004
【図３】
2014198569.tif 000005
【図４】
2014198569.tif 000006
【図５】
2014198569.tif 000007
【図６】
2014198569.tif 000008